【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】
光学器械の光軸の振れの角速度検出手段と、観察像のずれを補正する補正光学系と、前記角速度検出手段が出力する角速度信号の周波数の下限値と前記補正光学系の基準位置への復帰速度との少なくとも一方を切り替える手段とを備え、
前記切替手段は、操作者により操作されることを特徴とする光学器械。
【請求項２】
前記光学器械は、さらに前記角速度信号の直流成分をカットするフィルタを備え、操作者による前記切替手段の操作に基づいて前記フィルタのカットオフ周波数が変えられることにより前記角速度信号の周波数の下限値および前記補正光学系の基準位置への復帰速度が切り替えられることを特徴とする請求項１に記載の光学器械。
【請求項３】
前記フィルタは、直列に接続された２つの抵抗と、その２つの抵抗のうち一方の抵抗に並列に接続され、その抵抗を前記フィルタに関与させないことを可能とするスイッチ手段とを有することを特徴とする請求項２に記載の光学器械。
【請求項４】
前記光学器械は、さらに前記角速度信号を角度信号に変換する積分手段を備え、操作者による前記切替手段の操作に基づいて前記積分手段の放電時定数が切り替えられることにより前記補正光学系の基準位置への復帰速度が切り替えられることを特徴とする請求項１に記載の光学器械。
【請求項５】
前記積分手段は直列に接続された２つの抵抗と、その２つの抵抗のうち一方の抵抗に並列に接続され、その抵抗を前記積分手段に関与させないことを可能とするスイッチ手段とを有することを特徴とする請求項４に記載の光学器械。
【請求項６】
前記光学器械は、さらに前記角速度信号の直流成分をカットするフィルタと、前記角速度信号を角度信号に変換する積分手段とを備え、操作者による前記切替手段の操作に基づいて、前記フィルタのカットオフ周波数を変えることにより前記角速度信号の周波数の下限値および前記補正光学系の基準位置への復帰速度が切り替えられ、操作者による前記切替手段の操作に基づいて、前記積分手段の放電時定数を切り替えることにより前記補正光学系の基準位置への復帰速度が切り替えられることを特徴とする請求項１に記載の光学器械。
【請求項７】
前記フィルタは直列に接続された第１および第２の抵抗と、前記第１および第２の抵抗のうち一方の抵抗に並列に接続され、その抵抗を前記フィルタに関与させないことを可能とする第１のスイッチ手段とを有し、前記積分手段は直列に接続された第３および第４の抵抗と、前記第３および第４の抵抗のうち一方の抵抗に並列に接続され、その抵抗を前記積分手段に関与させないことを可能とする第２のスイッチ手段とを有し、
前記第１および第２のスイッチ手段のオンオフは、前記切替手段の操作に応じて制御されることを特徴とする請求項６に記載の光学器械。
【請求項８】
前記スイッチ手段により前記フィルタのカットオフ周波数が変えられ、前記カットオフ周波数の変化に応じて前記角速度信号の周波数の下限値および前記補正光学系の基準位置への復帰速度が切り替えられることを特徴とする請求項３に記載の光学器械。
【請求項９】
前記スイッチ手段により、前記積分手段の放電時定数が切り替えられ、前記放電時定数の切り替えに応じて前記補正光学系の基準位置への復帰速度が切り替えられることを特徴とする請求項５に記載の光学器械。
【請求項１０】
前記切替手段は、光学器械の電源スイッチであることを特徴とする請求項７に記載の光学器械。
【請求項１１】
前記電源スイッチを操作することにより前記角速度信号の周波数の下限値と、前記補正光学系の基準位置への復帰速度の少なくとも一方が切り替えられることを特徴とする請求項１０に記載の光学器械。
【請求項１２】
光学器械の光軸の振れの角速度検出手段と、観察像のずれを補正する補正光学系と、前記角速度検出手段が出力する角速度信号から直流成分をカットする直流成分除去回路と、前記直流成分除去回路の出力信号を積分する積分回路とを備え、操作者の操作に応じて前記直流成分除去回路の時定数と前記積分回路の放電の時定数の少なくとも一方が可変であることを特徴とする光学器械。
【手続補正２】
【補正対象書類名】明細書
【補正対象項目名】０００７
【補正方法】変更
【補正の内容】
【０００７】
【課題を解決するための手段】
本発明に係る手振れ補正機構を備えた光学器械は、光学器械の光軸の振れの角速度検出手段と、観察像のずれを補正する補正光学系と、角速度検出手段が出力する角速度信号の周波数の下限値と補正光学系の基準位置への復帰速度との少なくとも一方を切り替える手段とを備え、切替手段は、操作者により操作されることを特徴とする。


【手続補正３】
【補正対象書類名】明細書
【補正対象項目名】０００８
【補正方法】変更
【補正の内容】
【０００８】
光学器械は、好ましくはさらに角速度信号の直流成分をカットするフィルタを備え、操作者による切替手段の操作に基づいてフィルタのカットオフ周波数が変えられることにより角速度信号の周波数の下限値および補正光学系の基準位置への復帰速度が切り替えられる。


【手続補正４】
【補正対象書類名】明細書
【補正対象項目名】００１０
【補正方法】変更
【補正の内容】
【００１０】
光学器械は、好ましくはさらに角速度信号を角度信号に変換する積分手段を備え、操作者による切替手段の操作に基づいて積分手段の放電時定数が切り替えられることにより補正光学系の基準位置への復帰速度が切り替えられる。


【手続補正５】
【補正対象書類名】明細書
【補正対象項目名】００１２
【補正方法】変更
【補正の内容】
【００１２】
光学器械は、好ましくはさらに角速度信号の直流成分をカットするフィルタと、角速度信号を角度信号に変換する積分手段とを備え、操作者による切替手段の操作に基づいて、フィルタのカットオフ周波数を変えることにより角速度信号の周波数の下限値および補正光学系の基準位置への復帰速度が切り替えられ、操作者による切替手段の操作に基づいて、積分手段の放電時定数を切り替えることにより補正光学系の基準位置への復帰速度が切り替えられる。


【手続補正６】
【補正対象書類名】明細書
【補正対象項目名】００１３
【補正方法】変更
【補正の内容】
【００１３】
フィルタは例えば、直列に接続された第１および第２の抵抗と、第１および第２の抵抗のうち一方の抵抗に並列に接続され、その抵抗をフィルタに関与させないことを可能とする第１のスイッチ手段とを有し、積分手段は例えば、直列に接続された第３および第４の抵抗と、第３および第４の抵抗のうち一方の抵抗に並列に接続され、その抵抗を積分手段に関与させないことを可能とする第２のスイッチ手段とを有し、第１および第２のスイッチ手段のオンオフは、切替手段の操作に応じて制御される。


【手続補正７】
【補正対象書類名】明細書
【補正対象項目名】００１４
【補正方法】変更
【補正の内容】
【００１４】
例えば、切替手段は、光学器械の電源スイッチであり、電源スイッチを操作することにより角速度信号の周波数の下限値と、補正光学系の基準位置への復帰速度の少なくとも一方が切り替えられる。


【手続補正８】
【補正対象書類名】明細書
【補正対象項目名】００１５
【補正方法】変更
【補正の内容】
【００１５】
また、本発明に係る手振れ補正機構を備えた光学器械は、光学器械の光軸の振れの角速度検出手段と、観察像のずれを補正する補正光学系と、角速度検出手段が出力する角速度信号から直流成分をカットする直流成分除去回路と、直流成分除去回路の出力信号を積分する積分回路とを備え、操作者の操作に応じて直流成分除去回路の時定数と積分回路の放電の時定数の少なくとも一方が可変であることを特徴とする。